(57)【要約】      （修正有）【課題】簡易な構成によって実現することができる付着物除去装置を提供する。【解決手段】付着物除去室３と、上記付着物除去室内に設置された集塵機５と、上記付着物除去室内に設置されたコンプレッサ７と、を具備し、上記コンプレッサから供給される圧縮空気によって衣服に付着した付着物を除去し、その除去した付着物を上記集塵機によって集塵するようにしたもの。【選択図】図１
0003222876.tif 000002
【実用新案登録請求の範囲】
【請求項１】
付着物除去室と、
上記付着物除去室内に設置された集塵機と、
上記付着物除去室内に設置されたコンプレッサと、
を具備し、
上記コンプレッサから供給される圧縮空気によって衣服に付着した付着物を除去し、その除去した付着物を上記集塵機によって集塵するようにしたことを特徴とする付着物除去装置。
【請求項２】
請求項１記載の付着物除去装置において、
上記付着物除去室は段ボール紙製であることを特徴とする付着物除去装置。
【請求項３】
請求項１又は請求項２記載の付着物除去装置において、
上記付着物除去室は付着物除去作業を行う付着物除去作業室と上記集塵機と上記コンプレッサが設置された機械室とに境界壁を介して二分されていることを特徴とする付着物除去装置。
【請求項４】
請求項３記載の付着物除去装置において、
上記境界壁には空気吸引口と空気吐出口が設けられていることを特徴とする付着物除去装置。
【請求項５】
請求項４記載の付着物除去装置において、
上記空気吸引口にはメッシュ部材が設けられていることを特徴とする付着物除去装置。
【請求項６】
請求項３〜請求項５の何れかに記載の付着物除去装置において、
上記コンプレッサから繰り出されている圧縮空気吐出ホースが上記境界壁を貫通して上記付着物除去作業室側に設置されていることを特徴とする付着物除去装置。
【請求項７】
請求項１〜請求項６の何れかに記載の付着物除去装置において、
オフィスや工場の出入口に設置されることを特徴とする付着物除去装置。
【請求項８】
請求項１〜請求項７の何れかに記載の付着物除去装置において、
上記付着物は花粉や各種粉塵であることを特徴とする付着物除去装置。
【考案の詳細な説明】
【技術分野】
【０００１】
本考案は、例えば、衣服に付着した花粉や粉塵を除去する付着物除去装置に係り、特に、付着物除去機能を低下させることなく、構成の簡略化、装置の小型化を図ることができるように工夫したものに関する。
【背景技術】
【０００２】
付着物除去装置の構成を開示するものとして、例えば、特許文献１、特許文献２、がある。
【０００３】
まず、特許文献１に記載された付着物除去方法、および、付着物除去装置は、衣服に付着した花粉や粉塵を除去するものではないが、室内の壁に付着した付着物を除去するものとして開示されている。室内に設置されたコンプレッサにより噴射ノズルから圧縮空気とドライアイス粒を吹き出して壁の清掃を行う。上記清掃によって生じた塵は室外に設置された負圧集塵装置によって回収される。
【０００４】
次に、特許文献２に記載された集塵ダスト抜き出し装置、並びに、集塵ダスト抜き出し装置を備えたエアシャワー装置では、室内にエアシャワー装置と集塵ダスト抜き出し装置が設置されている。集塵ダスト抜き出し装置は上記エアシャワー装置内の空気を吸引して集塵を行い、上記エアシャワー装置側に空気を噴射する。作業員の衣服に付着された集塵ダストはエアシャワーによって衣服から除去され集塵ダスト抜き出し装置により吸引・回収される。
【先行技術文献】
【特許文献】
【０００５】
【特許文献１】特開２００８−２４６３４５号公報
【特許文献２】特開２００４−８２０２８号公報
【考案の概要】
【考案が解決しようとする課題】
【０００６】
上記従来の構成によると、次のような問題があった。
まず、特許文献１に記載された付着物除去方法、および、付着物除去装置の場合には、室内に設けられたコンプレッサ、ドライアイス搬送機、及び、室外に設けられた負圧集塵装置が必要であり、構成が複雑で装置が大型化してしまうという問題があった。
また、特許文献２に記載された集塵ダスト抜き出し装置、並びに、集塵ダスト抜き出し装置を備えたエアシャワー装置の場合も、集塵ダスト抜き出し装置とエアシャワー装置が組み合わされた複雑な構成になっており、構成が複雑であって装置が大型化してしまうという問題があった。
【０００７】
本考案はこのような点に基づいてなされたものでその目的とするところは、付着物除去機能を低下させることなく、構成の簡略化、装置の小型化を図ることができる付着物除去装置を提供することにある。
【課題を解決するための手段】
【０００８】
上記目的を達成するべく本願考案の請求項１による付着物除去装置は、付着物除去室と、上記付着物除去室内に設置された集塵機と、上記付着物除去室内に設置されたコンプレッサと、を具備し、上記コンプレッサから供給される圧縮空気によって衣服に付着した付着物を除去し、その除去した付着物を上記集塵機によって集塵するようにしたことを特徴とするものである。
又、請求項２による付着物除去装置は、請求項１記載の付着物除去装置において、上記付着物除去室は段ボール紙製であることを特徴とするものである。
又、請求項３による付着物除去装置は、請求項１又は請求項２記載の付着物除去装置において、上記付着物除去室は付着物除去作業を行う付着物除去作業室と上記集塵機と上記コンプレッサが設置された機械室とに境界壁を介して二分されていることを特徴とするものである。
又、請求項４による付着物除去装置は、請求項３記載の付着物除去装置において、上記境界壁には空気吸引口と空気吐出口が設けられていることを特徴とするものである。
又、請求項５による付着物除去装置は、請求項４記載の付着物除去装置において、上記空気吸引口にはメッシュ部材が設けられていることを特徴とするものである。
又、請求項６による付着物除去装置は、請求項３〜請求項５の何れかに記載の付着物除去装置において、上記コンプレッサから繰り出されている圧縮空気吐出ホースが上記境界壁を貫通して上記付着物除去作業室側に設置されていることを特徴とするものである。
又、請求項７による付着物除去装置は、請求項１〜請求項６の何れかに記載の付着物除去装置において、オフィスや工場の出入口に設置されることを特徴とするものである。
又、請求項８による付着物除去装置は、請求項１〜請求項７の何れかに記載の付着物除去装置において、上記付着物は花粉や各種粉塵であることを特徴とするものである。
【考案の効果】
【０００９】
以上述べたように本願考案の請求項１による付着物除去装置によると、付着物除去室と、上記付着物除去室内に設置された集塵機と、上記付着物除去室内に設置されたコンプレッサと、を具備し、上記コンプレッサから供給される圧縮空気によって衣服に付着した付着物を除去し、その除去した付着物を上記集塵機によって集塵するようにしたので、付着物除去装置を簡易な構成によって実現することができる。
又、請求項２による付着物除去装置によると、請求項１記載の付着物除去装置において、上記付着物除去室は段ボール紙製であるので、付着物除去装置を更に簡易な構成とすることができる。
又、請求項３による付着物除去装置によると、請求項１又は請求項２記載の付着物除去装置において、上記付着物除去室は付着物除去作業を行う付着物除去作業室と上記集塵機と上記コンプレッサが設置された機械室とに境界壁を介して二分されているので、簡易な構成により上記集塵機と上記コンプレッサを上記付着物除去作業室から分離して作業性を高めることができる。
又、請求項４による付着物除去装置によると、請求項３記載の付着物除去装置において、上記境界壁には空気吸引口と空気吐出口が設けられているので、空気の流通を円滑にして集塵の効率を高めることができる。
又、請求項５による付着物除去装置によると、請求項４記載の付着物除去装置において、上記空気吸引口にはメッシュ部材が設けられているので、大きな異物の上記集塵機への吸い込みを防止することができる。
又、請求項６による付着物除去装置によると、請求項３〜請求項５の何れかに記載の付着物除去装置において、上記コンプレッサから繰り出されている圧縮空気吐出ホースが上記境界壁を貫通して上記付着物除去作業室側に設置されているので、より作業性を高めることができる。
又、請求項７による付着物除去装置によると、請求項１〜請求項６の何れかに記載の付着物除去装置において、オフィスや工場の出入口に設置されるので、オフィスや工場において使用する付着物除去装置を簡易な構成によって実現することができる。
又、請求項８による付着物除去装置によると、請求項１〜請求項７の何れかに記載の付着物除去装置において、上記付着物は花粉や各種粉塵であるので、花粉や各種粉塵を除去する付着物除去装置を簡易な構成によって実現することができる。
【図面の簡単な説明】
【００１０】
【図１】本考案の一実施の形態を示す図で、付着物除去装置の斜視図である。
【図２】本考案の一実施の形態を示す図で、付着物除去装置の横断面図である。
【図３】本考案の一実施の形態を示す図で、図２のＩＩＩ−ＩＩＩ断面図である。
【図４】本考案の一実施の形態を示す図で、図２のＩＶ−ＩＶ断面図である。
【図５】本考案の一実施の形態を示す図で、図２のＶ−Ｖ断面図である。
【図６】本考案の一実施の形態を示す図で、図２のＶＩ−ＶＩ断面図である。
【図７】本考案の一実施の形態を示す図で、付着物除去装置の使用状態を示す図で付着物除去室の手前の壁を除去した斜視図である。
【考案を実施するための形態】
【００１１】
以下、図１乃至図７を参照して本考案の一実施の形態を説明する。図１はこの一実施の形態による付着物除去装置１の全体の構成を示す斜視図であり、まず、付着物除去室３がある。
【００１２】
上記付着物除去室３は、図１〜図５に示すように、中空の直方体形状の部屋本体８と上記部屋本体８内に設置された境界壁９とから構成されていて、上記付着物除去室３の内部は上記境界壁９によって付着物除去作業室１１と機械室１３に二分されている。上記機械室１３内には、集塵機５とコンプレッサ７が設置されている。本実施の形態では上記集塵機５、コンプレッサ7として簡易な構成で小型のものを想定している。又、上記付着物除去室３の大きさは必要最低限のものになっている。
なお、図１では上記部屋本体８の天井部分（図１中上の部分）の図示を省略している。
【００１３】
上記付着物除去作業室１１には出入口１５が設けられていて、上記機械室１３側にも出入口１７が設けられている。上記出入口１５には扉１９が開閉自在に設置されており、上記出入口１７にも扉２１が開閉自在に設置されている。上記扉１９には上記扉１９を開閉する際に用いる引手２３が固着されている。また、上記扉２１にも上記扉２１を開閉する際に用いる引手２５が固着されている。
上記部屋本体８、上記境界壁９、上記扉１９、及び、上記扉２１は段ボール紙製である。
【００１４】
上記境界壁９の上側には空気吐出部材２７が貫通・配置されていて、上記空気吐出部材２７には空気吐出口２９が形成されている。また、上記境界壁９の下側には空気吸引口３１が形成されている。上記空気吸引口３１にはメッシュ部材３３が設置されている。上記集塵機５を運転することにより、付着物除去作業室１１内の空気は上記空気吸引口３１を介して機械室１３側に移動して集塵機５に吸引される。集塵機５から排気された清浄な空気は上記空気吐出口２９を介して上記付着物除去作業室１１側に移動する。図４中空気の流れを矢印で示す。
【００１５】
上記コンプレッサ７には圧縮空気吐出ホース３５が接続されていて、上記圧縮空気吐出ホース３５の先端には圧縮空気吐出ノズル３７が取り付けられている。上記圧縮空気吐出ホース３５は上記メッシュ部材３３を貫通して上記付着物除去作業室１１側に配置されている。図７に示すように、上記付着物除去作業室１１に人３８が入り、上記圧縮空気吐出ノズル３７を介して上記人３８の衣服に圧縮空気を吹き付け、衣服に付着している花粉、粉塵等の付着物を除去する。
【００１６】
上記集塵機５は図３、図４に示すような構成になっている。まず、ドラム４１があり、このドラム４１の上側にはフィルタ４３が設置されていて、ドラム４１の下側には袋体４５が設置されている。上記ドラム４１の外側には吸気ファン４６が設置されていて、この吸気ファン４６はケーシング４７とこのケーシング４７内に回転可能に内装された羽根車５３とから構成されている。また、上記ケーシング４７には、吸気管４９と排気管５１が連結されている。上記排気管５１は中継ダクト５５、流入ダクト５７を介して上記ドラム４１に接続されている。また、駆動モータ５２が設置されていて、この駆動モータによって上記羽根車５３を回転させる。
【００１７】
上記駆動モータ５２によって上記羽根車５３を回転させると、上記吸気管４９を介して空気が吸い込まれ上記排気管５１、上記中継ダクト５５、流入ダクト５７を介して上記ドラム４１内に吸気される。上記流入ダクト５７は上記ドラム４１に対して接線方向から連結されており、ドラム４１内に吸気された空気は上記ドラム４１内で渦を巻くように上昇していく。上記空気に含まれている花粉や粉塵は遠心力により上記ドラム４１の外周側に移動し重いものは上記袋体４５側に落下し、軽いものは上昇して上記フィルタ４３によって回収される。清浄になった空気は上記フィルタ４３を通過して上記機械室１３内に排気される。排気された空気は上記空気吐出口２９を介して上記機械室１３側から上記付着物除去作業室１１側に移動する。以下、同様のサイクルを繰り返す。
なお、集塵機５の詳細な構成は、例えば、本件実用新案登録出願人による実用新案登録第３２１７７９０号公報に記載されている。
【００１８】
次に、この一実施の形態の作用について説明する。
本実施の形態による付着物除去装置１は、例えば、オフィス、各種作業所、工場等の出入口に設置される。
まず、図７に示すように、人３８は付着物除去作業室１１に入る。次に、コンプレッサ７と集塵機５を動作させる。次に、圧縮空気吐出ノズル３７から吐出される空気を自身が着用する衣服に吹き付けて付着物除去作業を行う。付着物としては、例えば、花粉、各種粉塵等が挙げられる。
【００１９】
上記付着物除去作業室１１内の空気は空気吸引口３１を介して機械室１３側へ移動しており、よって、上記人３８の衣服から除去された付着物も付着物除去作業室１１側から機械室１３側へ移動する。機械室１３側に移動した付着物を含んだ空気は集塵機５内に吸気され、付着物は集塵機５の袋体４５内に落下・回収される或いはフィルタ４３の内面に付着・回収される。
清浄になった空気は上記フィルタ４３を介して機械室１３内に排気され、上記空気吐出口２９を介して上記機械室１３側から上記付着物除去作業室１１側に吐出される。
以下、同様のサイクルを繰り返す。
【００２０】
次に、この一実施の形態による効果について説明する。まず、簡易な構成の付着物除去装置１を提供することができる。これは付着物除去室１を段ボール紙製としたこと、付着物除去室１の大きさを必要最低限の空間を確保できる程度の大きさにしたこと、集塵機５、コンプレッサ７として簡易な構成で小型のものを採用したこと、等に起因する。
また、圧縮空気吐出ノズル３７から吐出させた圧縮空気によって人３８の衣類に付着した付着物を除去し、それを上記集塵機５によって回収するようになっているので、付着物の除去・回収を確実に行うことができる。
【００２１】
また、上記付着物除去室３は、上記境界壁９によって付着物除去作業室１１と機械室１３に二分されているので、衣服から付着物を除去する作業を行う際、集塵機５やコンプレッサ７が邪魔になることもない。
また、上記空気吸引口３１にはメッシュ部材３３が設置されているので、大きな異物に関してはこのメッシュ部材３３によって回収することができる。
【００２２】
また、圧縮空気吐出ホース３５の先端側には圧縮空気吐出ノズル３７が取り付けられていて、上記圧縮空気吐出ホース３５は上記空気吸引口３１を貫通して上記圧縮空気吐出ノズル３７は上記付着物除去作業室１１側に配置されているので、より作業性を高めることができる。
【００２３】
尚、本考案は前記一実施の形態に限定されるものではない。
前記一実施の形態の場合には、付着物除去室を付着物除去作業室と機械室に二分した場合を例に挙げて説明したが、それに限定されるものではなく、単一の室でも良い。
又、前記一実施の形態の場合には、付着物除去室を段ボール紙製としたが、それに限定されるものではなく、その他の紙製、樹脂製、とすることも考えられる。
その他、図示した構成はあくまで一例である。
【産業上の利用可能性】
【００２４】
本考案は、例えば、衣服に付着した花粉や粉塵を除去する付着物除去装置に係り、特に、簡易な構成によって実現することができるように工夫したものに関し、例えば、オフィス、工場等の出入口に設置して、そこに出入りする様々な人の衣服に付着した花粉、粉塵等を除去する付着物除去装置に好適である。
【符号の説明】
【００２５】
１  付着物除去装置
３  付着物除去室
５  集塵機
７  コンプレッサ
１１  付着物除去作業室
１３  機械室
２９  空気吐出口
３１  空気吸引口
３３  メッシュ部材
【図１】
0003222876.tif 000003
【図２】
0003222876.tif 000004
【図３】
0003222876.tif 000005
【図４】
0003222876.tif 000006
【図５】
0003222876.tif 000007
【図６】
0003222876.tif 000008
【図７】
0003222876.tif 000009